(57)【特許請求の範囲】
【請求項１】
スチームアイロンの蒸気チャンバで使用するための、
（ａ）０．００１−５重量％の水溶性香料
（ｂ）フレンチ硬度２０以下の水
（ｃ）ベンジルアルコール、フェノキシエタノール及びこれらの混合物、又は少なくとも１種類のイソチアゾロンを基剤とする化合物から選択される０．１ｐｐｍ−３重量％の水溶性保存剤、並びに
（ｄ）０．１重量％未満のアニオン性、非イオン性及び両性の界面活性剤
を含むアイロン掛け補助剤であって、前記水溶性香料が水溶性溶媒と香り成分とを含み、水溶性溶媒対香り成分の重量比が２０：１以下であるアイロン掛け補助剤。
【請求項２】
０．０１重量％未満のアニオン性、非イオン性及び両性の界面活性剤を含む、請求項１に記載のアイロン掛け補助組成物。
【請求項３】
水溶性保存剤が、少なくとも１種類のイソチアゾロンを基剤とする化合物を含む、請求項１または２に記載のアイロン掛け補助組成物。
【請求項４】
前記保存剤が１−１５ｐｐｍの量で存在する請求項１に記載のアイロン掛け補助組成物。
【請求項５】
更に、組成物のｐＨが６以上の値になるように０．０００１−１重量％の炭酸塩／炭酸水素塩、ホウ酸塩、リン酸塩、及びそれらの混合物から選択されるバッファを含む、請求項１から４のいずれか一項に記載のアイロン掛け補助組成物。
【請求項６】
更に、０．０００１−３重量％の金属イオン封鎖剤及び／又はアクリル酸含有有機ポリマー、ポリアクリル酸の塩、ポリアクリル酸ホモポリマー、並びにそれらの混合物から選択される１種又は２種以上のスケール抑制剤を含む、請求項１から５のいずれか一項に記載のアイロン掛け補助組成物。
【請求項７】
水溶性溶媒が、ジプロピレングリコール、プロピレングリコール、イソプロピルアルコール、エタノール及びそれらの混合物から選択され、該水溶性溶媒の総量が０．００１−２５重量％である請求項１から６のいずれか一項に記載のアイロン掛け補助組成物。
【請求項８】
フレンチ硬度２０以下の水で希釈したときに請求項１から７のいずれか一項に記載のアイロン掛け補助組成物となる濃縮アイロン掛け補助組成物。
【請求項９】
スチームアイロンにおける請求項１から７のいずれか一項に記載のアイロン掛け補助組成物の使用。
【発明の詳細な説明】
【０００１】
本発明は、スチームアイロンの水タンクチャンバに直接注入するための適当なアイロン掛け補助組成物に関する。組成物は水タンクチャンバで気化してアイロンの蒸気孔から放出される。本発明はまた、アイロン掛け補助組成物の製造方法、及び、適正な希釈後にそのまま使用できるアイロン掛け補助組成物となる濃縮アイロン掛け補助組成物を目的とする。
【０００２】
スチームアイロンのチャンバに直接注入することができ、アイロン掛け中の衣類に香料を有効に放出し得る製品は消費者によって久しく要望されている。これらの製品は一般に水を基剤とする。しかしながら、多様な香り成分の大半は本質的に水不溶性であり、従って、等方性溶液（またはマイクロエマルジョン）にするためには追加の可溶化剤が必要である。例えば、西独特許ＤＥ２９６  ００  ６２８は、難溶性または完全に不溶性の油性芳香剤を含む組成物を開示している。
【０００３】
香料を水に可溶化する常用の手段は、アニオン性、カチオン性、両性、双性の界面活性剤または特に非イオン性界面活性剤によって代表される界面活性剤／乳化剤、最も特定的にはアルコールエトキシラートを含有させることである。市場に広く出回っている多くの製品は、香料を可溶化し香りをあるレベルに到達させるためにこのような手段を使用している。例えば、英国特許ＧＢ２  ３３３  ３０２は、疎水性芳香剤を分散させるために非イオン性界面活性剤を含むアイロン掛け補助組成物を記載している。
【０００４】
しかしながら発明者が行った試験では、スチームアイロンのチャンバに投入される公知製品は、組成物が極度の高温になることが原因で問題を生じることが判明した。スチームアイロンの蒸気チャンバの内部温度は標準的に１５０℃−２７０℃の範囲であり、木綿布のアイロン掛け用に設定されたアイロンでは通常はほぼ２００℃である。
【０００５】
脱塩水と０．４０重量％の非イオン性界面活性剤とからなる組成物を製造した。界面活性剤として以下のような常用の製品を使用した：クレモフォールＴＭ（ＣｒｅｍｏｐｈｏｒＴＭ）  ＣＯ  ４０（ＢＡＳＦ  −  ４０ＥＯまでエトキシル化した硬化ヒマシ油）、ソフタノールＴＭ（ＳｏｆｔａｎｏｌＴＭ）  ９０（Ｉｎｅｏｓ  −  ９ＥＯまでエトキシル化したＣ１２−Ｃ１４の第二アルコールミックス）、ネオドールＴＭ（ＮｅｏｄｏｌＴＭ）  ２５−９（Ｓｈｅｌｌ  −  ９ＥＯまでエトキシル化したＣ１２−Ｃ１５の第一アルコールミックス）、リアルＴＭ（ＬｉａｌＴＭ）  １１１  １０ＥＯ（Ｃｏｎｄｅａ  −  １０ＥＯまでエトキシル化したＣ１１アルコール）、ゲナポールＴＭ（ＧｅｎａｐｏｌＴＭ）  ２００（Ｃｌａｒｉａｎｔ  −  ２０ＥＯまでエトキシル化したヤシ油アルコール）。これらの組成物をスチームアイロンに投入し、次いでテリー織りの手拭きタオルのアイロン掛けに使用した。全部の組成物で使用中に焦げた臭いが発生した。このような組成物はアイロン掛け中に洗濯物に香りを与えることを目的とする製品に適していない。
【０００６】
別の試験では、フィリップス  ミストラル（Ｐｈｉｌｉｐｓ  Ｍｉｓｔｒａｌ）  Ｈ１  ３１２アイロンの蒸気チャンバで以下の組成物を試験した：
（ｉ）脱塩水単独；
（ｉｉ）０．０１６重量％のニパサイドＴＭ（ＮｉｐａｃｉｄｅＴＭ）（ＴＭ）ＢＴ  ＬＣ（Ｎｉｐａ  Ｌａｂｏｒａｔｏｒｉｅｓ社製）とバランス量の脱塩水；
（ｉｉｉ）０．２重量％のクレモフォールＴＭ（ＣｒｅｍｏｐｈｏｒＴＭ）  ＣＯ４０とバランス量の脱塩水。
【０００７】
アイロンに適当な組成物を毎日充填し、投入した製品が完全に蒸気として発散するまで綿１００％の枕カバーの片面だけにアイロンを掛ける試験を１０日間継続した。使用１−５日目では同じ枕カバーを各組成物でアイロン掛けし、使用６−１０日目では別の枕カバーをアイロン掛けした。試験の終了後、アイロン内部の残留物を観察した。
【０００８】
脱塩水単独に比べて、ニパサイドＴＭ（ＮｉｐａｃｉｄｅＴＭ）またはクレモフォールＴＭ（ＣｒｅｍｏｐｈｏｒＴＭ）を含有する組成物では枕カバーに褐色の痕跡が残り、アイロンから粒子が放出されていた。使用６日目以後ではこれらがもっと顕著であった。クレモフォールＴＭ（ＣｒｅｍｏｐｈｏｒＴＭ）を含有する組成物は蒸気チャンバ内で泡を生じ、試験中を通じてアイロンからパチパチ音（ｃｒａｃｋｌｉｎｇ）が生じていた。
【０００９】
アイロンを分解すると、ニパサイドＴＭ（ＮｉｐａｃｉｄｅＴＭ）またはクレモフォールＴＭ（ＣｒｅｍｏｐｈｏｒＴＭ）を含有している組成物を注入したアイロンは許容範囲を超える量の残留物を含んでおり、残留物の量は脱塩水を単独に充填したアイロンよりも多かった。
【００１０】
代替的な香料可溶化方法では、エタノール、イソプロピルアルコール、ジプロピレングリコール、ジエチレングリコールモノブチルエーテルまたはジプロピレングリコールモノブチルエーテルのような半極性溶媒を使用する。しかしながら、十分な量の従来の香料を十分に可溶化するためには、これらの溶媒が極めて大量に必要である。その結果、アイロンを使う当事者に対しては職業暴露限度（Ｏｃｃｕｐａｔｉｏｎａｌ  Ｅｘｐｏｓｕｒｅ  Ｌｉｍｉｔｓ，ＯＥＬ）を超過するという健康上の危険が幾らか存在し、また、溶媒の引火による火災の発生または溶媒とアイロンとの間の有害反応の発生という重大な危険がある。更に、このような大量の溶媒を含有する組成物の匂いが香料の匂いを凌駕し、製品の目的を妨害することもあり得る。
【００１１】
本発明は、改良されたアイロン掛け補助組成物の提供を目的とする。本発明の発明者らはここに、従来技術に付随する１つまたは複数の問題が、例えば、上述の界面活性剤のような追加の可溶化剤の必要性を節減し得る水溶性香料の使用によって改善され得ることを知見した。
【００１２】
従って、本発明の１つの態様によれば、スチームアイロンの蒸気チャンバで使用するための、
（ａ）０．００１−５重量％の水溶性香料及び
（ｂ）フレンチ硬度２０以下の水
を含むアイロン掛け補助組成物が提供される。多くの場合、水溶性香料は２、１、０．５重量％以下であるのが好ましく、０．２５重量％以下であるのが最も好ましい。組成物はいかなる任意成分を含有してもよく、バランスは以下に記載するように水である。
【００１３】
水に対する溶解度は、水溶性香料を１リットルの２０℃脱塩水に混合し、標準撹拌羽根を使用して混合物を３００ｒｐｍで６０分間撹拌することによって測定する。得られた混合物を２０℃で７日間保存し、この期間の経過後に得られた混合物が２相になっているときは、香料が水溶性でない。この試験によって少なくとも０．０１重量％の香料が溶解可能でなければならない。これらの条件下で少なくとも０．０５、０．１、０．２、０．２５、０．５、１、３重量％の香料、より好ましくは少なくとも５重量％の香料が溶解可能であるのが好ましい。
【００１４】
水溶性香料
１つの好ましい実施態様では、本発明の水溶性香料は水溶性溶媒と香り成分とを含み、そのような香料は上記の成分のみから構成されていてもよい。水溶性香料が高濃度では可溶性でないとしても、少なくとも組成物に含まれている量では上記試験によって可溶性であるのが好ましい。
【００１５】
香料中の溶媒に関して考察すると、溶媒を存在させることによって配合する余地が拡大されるので、より多くの異なる化合物の使用が可能になり、消費者にいっそう好まれる、より複合的な芳香をもつ改良されたアイロン掛け補助組成物を製造できるという利点が得られる。本発明の水溶性香料を使用することによって、アイロン掛け補助組成物中の香り成分を安定させるために使用される溶媒の量を節減し得る。
【００１６】
従って、本発明の１つの態様によれば、水溶性香料中の溶媒対香り成分の重量比が好ましくは２０：１以下、より好ましくは１０：１、６：１、３：１または１：１以下である。幾つかの水溶性香料では、この比が１：２という低い値でもよく、または１：３もしくは１：４でもよい。
【００１７】
適当な水溶性溶媒は、ジプロピレングリコール、プロピレングリコール、イソプロピルアルコール（ＩＰＡ）、エタノール及びそれらの混合物である。これらのうちではジプロピレングリコールが最も好ましい。
【００１８】
香り成分（または芳香成分）は当業者に公知であり、Ｐｅｒｆｕｍｅ  ａｎｄ  Ｆｌａｖｏｒ  Ｃｈｅｍｉｃａｌｓ，Ｓｔｅｆｆａｎ  Ａｒｃｔａｎｄｅｒ（ＩＳＤＮ  ７５−９１３９８）に記載されている。個々の香り成分の水に対する溶解度は、２０℃における蒸留水とオクタノールとの間の該成分の分配係数（ＣｌｏｇＰ）の計算値によって表される。ＣｌｏｇＰの値が小さいほど、成分の水溶性が高い。例えば、ラズベリーケトンは１．０７２のＣｌｏｇＰを有しており極めて水に溶けやすいが、ローズアセテートは４．０４８のＣｌｏｇＰを有しており、水に易溶性でない。ＣｌｏｇＰ値はＤａｙｌｉｇｈｔ  ＣＩＳから入手できる“ＣＬＯＧＰ”プログラムによって最も簡便に計算される。
【００１９】
本発明の水溶性香料は、好ましくは少なくとも５種類の異なる香り成分、より好ましくは少なくとも７、１０、１２種類、最も好ましくは少なくとも１５種類の異なる香り成分を含む。現代の洗濯物に使用するための適当な“複合的”芳香を与えるためにはこのような数の異なる芳香成分が一般に必要である。
【００２０】
従って、使用される水溶性香料の複数の香り成分は多岐にわたるＣｌｏｇＰ値を有していると考えられる。大きいＣｌｏｇＰ値を有している成分を高い割合で含む香料は、大きいＣｌｏｇＰ値を有している成分を低いレベルで含む香料よりも高い溶媒対香り成分比を必要とするであろう。例えば、３を上回るＣｌｏｇＰ値をもつ香り成分を５重量％未満の量で含む香料の溶媒対香り成分の比は、１：１または１：２であろう。対照的に、３を上回るＣｌｏｇＰ値をもつ香り成分が少なくとも２０重量％未満の量で含まれる香料は、５：１または７：１の溶媒対香り成分比を有しているであろう。
【００２１】
水
本発明の組成物の水は２０以下、好ましくは１２以下のフレンチ硬度を有していなければならない。１２−２０のフレンチ硬度を有している水は通常は中間水と呼ばれており、５−１２のフレンチ硬度を有している水は軟水と呼ばれている。
【００２２】
組成物の水は５未満のフレンチ硬度を有する水（ときには超軟水と呼ばれる）であるのがいっそう好ましく、脱塩水が最も好ましい。
【００２３】
“脱塩水”という用語は、溶解した塩の実質的に全部でないにしてもその大部分が除去された水を意味する。硬度イオン（Ｃａ２＋及びＭｇ２＋）が別のイオン（例えばＮａ＋）によって置換されただけの水は好ましくない。“脱塩水”という用語はまた蒸留水を包含する。
【００２４】
組成物が少なくとも７０重量％、より好ましくは少なくとも８０、９０、９５または９９重量％の水を含むのが好ましい。
【００２５】
保存剤
本発明のアイロン掛け補助組成物は更に、好ましくは水溶性の保存剤を０．１ｐｐｍ−３重量％の量で含み得る。
【００２６】
保存剤は好ましくは、スチームアイロンの到達温度、即ち、好ましくは１５０℃、２００℃または２５０℃にもなる温度においてアイロンを掛ける人間に潜在的に有害な化学物質を放出したり、またはこのような化学物質に分解されたりしてはならない。多くの化学物質の安全限界に関する指針はＯＨＳＥから入手できる職業暴露限度（Ｏｃｃｕｐａｔｉｏｎａｌ  Ｅｘｐｏｓｕｒｅ  Ｌｉｍｉｔｓ）によって与えられており、これらの量はＨＭＳＯから入手できるＥＨ４０に一覧表で示されている。
【００２７】
公知の多くの保存剤、例えば、ブロノポールＴＭ（ＢｒｏｎｏｐｏｌＴＭ）（Ｍｙａｃｉｄｅ）、ダウィシルＴＭ（ＤｏｗｉｃｉｌＴＭ）  ７５または２００、ゲルマベンＴＭ（ＧｅｒｍａｂｅｎＴＭ）  ＩＩ，ゲルマールＴＭ（ＧｅｒｍａｌｌＴＭ）  Ｉ  １５、ゲルマールＴＭ（ＧｅｒｍａｌｌＴＭ）  ＩＩ、グリカシルＴＭ（ＧｌｙｃａｃｉｌＴＭ）、グリダントＴＭ（ＧｌｙｄａｎｔＴＭ）、グリダントＴＭ（ＧｌｙｄａｎｔＴＭ）  ｐｌｕｓ、オキサバンＴＭ（ＯｘａｂａｎＴＭ）  Ａ及びスットシドＴＭ（ＳｕｔｔｏｃｉｄｅＴＭ）は、スチームアイロンの到達温度では有害なまたは刺激性の化学物質（例えばホルムアルデビト）を放出したりまたはこれらの化学物質に分解されたりする。あるいは、スチームアイロンの内部に許容範囲を超える量の残留物を残すこともある。あるいは、細菌及びカビの繁殖の有効な防御に必要な濃度では水溶性香料の香りを遮蔽する匂いをもつこともあり得る。
【００２８】
好ましいことが明記された保存剤以外の保存剤を組成物に含ませる必要がある場合、そのような保存剤は０．５重量％を上回る量、より好ましくは０．１、０．００１、０．０００１重量％を上回る量、最も好ましくは１ｐｐｍを上回る量で存在してはならない。
【００２９】
本発明の１つの実施態様では、アイロン掛け補助組成物が、芳香族、線状または分枝状のＣ１−Ｃ２０アルコール及びそれらの混合物から選択された少なくとも１種類の保存剤を含有し、保存剤は０．１ｐｐｍ−３重量％、好ましくは０．５−１重量％の量で存在し得る。好ましくは少なくとも１種類の保存剤が、ベンジルアルコール（フェノキシメタノール）、フェノキシエタノール及びそれらの混合物から選択される。これらの保存剤のうちではベンジルアルコールがより好ましい。ベンジルアルコールを使用する場合、本発明組成物中の既知の不純物であるベンズアルデヒドの存在を最小にするため、好ましくは実質的に存在しないようにするため、即ち、アイロン掛け補助組成物を安全に使用できるような少ない量にするために、高純度の等級を使用するのが好ましい。
【００３０】
本発明の別の実施態様では、好ましい保存剤が少なくとも１種類のイソチアゾロンを基剤とする化合物、例えば、ケーソンＴＭ（ＫａｔｈｏｎＴＭ）  ＣＧ  ＩＣＰ  ＩＩ（Ｒｏｈｍ  ａｎｄ  Ｈａａｓから入手可能）、即ち、低塩含量の５−クロロ−２−メチル−３（２Ｈ）−イソチアゾロンと２−メチル−３（２Ｈ）−イソチアゾロンとの３：１混合物を含む。この化合物は１−１５ｐｐｍ、より好ましくは４−７．５ｐｐｍの量で存在し得る。
【００３１】
保存剤の水に対する溶解度は水溶性香料と同様に測定でき、上記に定義の試験によれば少なくとも０．０１重量％、より好ましくは少なくとも０．０５、０．１、０．２、０．２５、０．５、１または３重量％の水溶性保存剤が溶解しなければならない。言い換えると、水溶性保存剤が高濃度では水溶性でないとしても、少なくとも組成物に含まれている量では上記試験によって水溶性であるのが好ましい。
【００３２】
安全な製造方法を使用して組成物を製造でき従って細菌類及び真菌類による製品の汚染を避けることができるならば、本発明の組成物に保存剤を必ずしも含有させなくてもよい。
【００３３】
バッファ
スチームアイロンの水タンクチャンバに投入される組成物は大抵の水道水と同様に中性または弱アルカリ性であるのが好ましい。従って、溶液のｐＨを６以上、好ましくは７−９、より好ましくは７−８に調整するために本発明の組成物にバッファを含有させるとよい。このようなバッファは０．０００１重量％、好ましくは０．００１から０．１重量％または１重量％の量で含まれる。
【００３４】
本発明に使用される適当なバッファは、非腐食性で、匂いが少なく、蒸気チャンバに沈積物を殆ど残さないのが好ましい。
【００３５】
適当なバッファとしては、炭酸塩／炭酸水素塩、ホウ酸塩及びリン酸塩がある。
【００３６】
金属イオン封鎖剤
本発明の組成物はまた、アイロンの蒸気チャンバに石灰スケール及びその他の望ましくない塩が沈積することを防止するために、金属イオン封鎖剤及びスケール抑制剤を０．０００１重量％、好ましくは０．００１から０．１重量％または１重量％、または３重量％の量で含有し得る。
【００３７】
金属イオン封鎖剤は、金属イオンを封鎖（キレート化）すべく作用する化合物で、例えばホスホン酸官能基またはカルボン酸官能基であり、スケール抑制剤はスケール形成過程を妨害する。本発明に使用される適当な金属イオン封鎖剤及びスケール抑制剤は非腐食性で、匂いが少なく、蒸気チャンバに沈積物を殆ど残さないのが好ましい。
【００３８】
適当な金属イオン封鎖剤は、有機ジホスホン酸、例えばデクエストＴＭ（ＤｅｑｕｅｓｔＴＭ）  ２０１６（ＨＥＤＰ；１−ヒドロキシエチレン−１，１−ジホスホン酸）、有機アミノホスホネート、例えばデクエストＴＭ（ＤｅｑｕｅｓｔＴＭ）  ２０４７（ＥＤＴＭＰ）、及び、ポリアミノカルボン酸、例えばＥＤＴＡである。
【００３９】
スケール抑制剤は、ポリアクリル酸無水マレイン酸コポリマーのようなアクリル酸含有有機ポリマー（例えばＢＡＳＦ社のソコランＴＭ（ＳｏｋｏｌａｎＴＭ）  ＣＰ５及びＮａｔｉｏｎａｌ  Ｓｔａｒｃｈ社のナレックスＴＭ（ＮａｒｌｅｘＴＭ）  ＬＤ２０）、ポリアクリル酸の塩、及び、ポリアクリル酸ホモポリマーである。
【００４０】
補助溶媒
本発明の１つの態様によれば、アイロン掛け補助組成物が通常は、水溶性香料とフレンチ硬度２０以下の水とを混合することによって製造される。大抵の場合、水溶性香料は水溶性香り成分と溶媒とを含む。更に、本発明では、補助溶媒を０．０１から５重量％または場合によっては２０重量％、より好ましくは０．１から５重量％または１０重量％、最も好ましくは０．２から１重量％または２重量％の量で含有させることができる。
【００４１】
適当な補助溶媒は、ジプロピレングリコール、グリセリン、プロピレングリコール、エタノール及びイソプロピルアルコール（ＩＰＡ）及びそれらの混合物である。これらのうちではジプロピレングリコールが最も好ましい。ジプロピレングリコールはアイロン掛けを容易にする湿潤剤としてアイロン掛け用途に特に有用であることが知見された。従って本発明の別の態様によれば、アイロン掛け補助剤の用途に有効量のジプロピレングリコールを使用することが提案される。有効量のジプロピレングリコールを含有するアイロン掛け補助組成物はアイロン掛け前の洗濯物に直接使用されてもよく、または、スチームアイロンの蒸気チャンバを経由して使用されてもよい。本発明のこの態様によれば、アイロン掛け補助組成物は、
（ａ）有効量、好ましくは約２５重量％以下、より好ましくは１５、１０、５重量％以下またはもっと好ましくは２重量％もしくは３重量％以下であって、総ジプロピレン含量の下限値は０．００１重量％という低い値でもよく、または、０．０１、０．１または１重量％でもよい、ジプロピレングリコール、
（ｂ）０．００１−５重量％の好ましくは水溶性の香り成分、及び、
（ｃ）フレンチ硬度２０以下の水
を含む。
【００４２】
組成物中のエタノール及び／またはイソプロピルアルコール（ＩＰＡ）の量は５重量％を超過しないのが好ましい。
【００４３】
従って、水溶性香料中に存在し得る溶媒も含めた組成物中の溶媒の合計レベルは約２５重量％以下、より好ましくは１５、１０、５重量％以下、またはもっと好ましくは２重量％もしくは３重量％以下である。溶媒の合計含量の下限値は０．００１重量％という低い値でもよく、または、０．０１、０．１もしくは１重量％でもよい。溶媒を香料の一部として添加するかまたは香料から独立して添加するかということが重要でないのは当業者に明らかであろうから、水溶性香料という用語は水溶性香り成分を意味すると解釈するのが好ましい。従って、アイロン掛け補助組成物は好ましくは０．００１−５重量％の水溶性香り成分とフレンチ硬度２０以下の水とを含み、溶媒の合計量は全組成物の０．００１−２５重量％である。例えば、溶解度試験で水溶性香料という用語は好ましくは、香料中に存在する溶媒と任意に存在する追加の溶媒との合計量と香り成分との混合物を意味する。
【００４４】
界面活性剤
界面活性剤は、親水性頭部と少なくとも８個の炭素原子を含む疎水性尾部とを有している化合物であり、アニオン性、カチオン性、非イオン性または両性（双性も含む）であり得る。
【００４５】
アニオン性界面活性剤はそれらの親水性頭部として、カルボキシレート基、スルフェート基、スルホネート基またはホスフェート基を含んでおり、それらの疎水性鎖は、少なくとも８個の炭素原子をもつアルキル基を場合によってはアリール基と組合せて含有している。
【００４６】
カチオン性界面活性剤はそれらの親水性頭部として第四窒素基を含有し、それらの疎水性鎖は、少なくとも８個の炭素原子をもつ１個または複数のアルキル基を含有している。
【００４７】
非イオン性界面活性剤は、疎水性基と反応性水素及びアルキレンオキシド、通常はエチレンオキシド、との反応生成物である。疎水性基は少なくとも８個の炭素原子を含有し、通常は第一アルコールまたは第二アルコールである。
【００４８】
両性界面活性剤は頭部にカルボキシレート基もしくはスルフェート基を有するかまたはアミンオキシドであり、少なくとも８個の炭素原子をもつアルキル鎖を含有するであろう。
【００４９】
本発明の組成物は、０．２重量％未満のこれらの界面活性剤、より好ましくは０．１、０．０５、０．０１、０．００１重量％未満、最も好ましくは１ｐｐｍ未満のこれらの界面活性剤を含むのが好ましい。この場合の“未満”という用語が界面活性剤０重量％を含意することを理解されたい。実際、幾つかの場合には、界面活性剤が全く存在しないのが好ましい。
【００５０】
全体組成物
本発明の組成物は、水溶性香料及びフレンチ硬度２０未満の水と、上記のような任意成分のいずれかとから構成されていてもよい。
【００５１】
好ましくは全組成物が２０℃で貯蔵安定である。即ち、長期間（好ましくは少なくとも１カ月）貯蔵後にも組成物が２相に分離しない。更に、全組成物が５℃−３７℃で貯蔵安定であるのが好ましい。
【００５２】
調製
香料を含むアイロン掛け補助組成物は当業者に公知の多くの方法によって製造できる。しかしながら、発明者らはここに、アイロン掛け補助組成物の改良された製造方法を知見した。１つの利点は、比較的高い濃度の香料を最小の細菌汚染で水性担体に取り込めることである。従って、本発明の別の態様は、香料をフレンチ硬度２０以下の水と１０−９５℃、好ましくは６０−９０℃、最も好ましくは７０−８５℃の温度で混合する段階を含むアイロン掛け補助組成物の改良された製造方法を提供することである。好ましくは香料が上述のように水溶性である。１つの好ましい方法では、水溶性香料が水溶性溶媒と香り成分とを含み、水溶性溶媒対香り成分の重量比が２０：１以下である。
【００５３】
混合は、例えばスルツァー（Ｓｕｌｚｅｒ）静的ミキサー（ＳＭＶ型）を使用し、約１００−４０００ｓ−１の低剪断下で比較的長い時間、例えば３０分間行う。しかしながら、混合に必要な時間をできるだけ短縮するためには、シルバーソン（Ｓｉｌｖｅｒｓｏｎ）動的ミル（４５／６００ＵＬＳ）を使用し、より高い剪断速度、例えば１８０，０００ｓ−１の剪断速度で行うのが好ましい。特にアイロン掛け補助組成物の連続製造方法では、１００−４０００ｓ−１の低剪断速度の第一段階と５０，０００−３００，０００ｓ−１の高剪断速度の第二段階とを組合せた方法が最も好ましい。
【００５４】
（図面の簡単な説明）
図１は、本発明の組成物の分配を補助するために使用され得る注ぎ口の側面図である。
【００５５】
図２は、図１の注ぎ口の平面図である。
【００５６】
図３は、図１の注ぎ口の斜視図である。
【００５７】
本発明の特徴、適当な材料及びその他の利点をより詳細に以下に説明する。
【００５８】
包装
本発明のアイロン掛け補助組成物は、慣用の材料から製造された慣用の任意の手段、例えばビンまたはポーチによって包装され得る。しかしながら、組成物がビンに包装されるならば、ビンの製造材料がＰＥＴ（ポリエチレンテレフタレート）を含むのが好ましい。貯蔵中に製品から香料が減損することを防止しまた材料が透明であるという理由からこの材料が好ましい。ガラスもまた好ましい包装材料である。
【００５９】
ビンはまた、ビンから家庭用スチームアイロンに製品を注入し易いようにする注ぎ口を有しているのが好ましい。好ましくは、注ぎ口は、液体組成物をビンから流出させる貫通口と、貫通口を包囲する環状受け皿と、流体をビンに流入させるために受け皿に設けられた水抜き穴とを含む。
【００６０】
注ぎ口１の１つの実施態様を図１−３に示す。注ぎ口１は、貫通口２と、貫通口２を包囲する環状受け皿３と、受け皿３の水抜き穴４とを含む。貫通口２は、ビンからスチームアイロンの水タンクに注がれる製品の方向及び流速を容易に調整でき、受け皿３は貫通口からこぼれた製品を受ける。水抜き穴４は過剰の製品をビンに戻し、また注出動作中のビンに空気を流入させ、これによって小出しされる製品が“詰まる”ことを防止する。
【００６１】
濃縮物
本発明の別の態様は、好ましくはフレンチ硬度２０以下の水で希釈したときに本発明のアイロン掛け組成物に調製される濃縮物に関する。１部の濃縮物が、好ましくは０．５−１００部、より好ましくは１−１０部、最も好ましくは２−５部（ｗ／ｗ）の水で希釈されるような希釈度にする。アイロン掛け補助組成物中の所望の最終濃度及び希釈率が判っていれば濃縮物の正確な組成を容易に計算し得る。例えば、アイロン掛け補助組成物中の香料の最終濃度が３．０−５．０重量％でなければならないとき、希釈率は２０以下に制限されるであろう。もっと高い希釈率、例えば希釈率１００を使用するときは必然的に、希釈されたアイロン掛け補助組成物は香料をもっと低い最大レベルで、即ち理論的に１重量％以下の香料を、含むことは当業者には明らかであろう。大抵の場合、アイロン掛け補助組成物中の香料レベルが０．５重量％以下であるのが好ましい。
【００６２】
濃縮物はまた、２０を上回るフレンチ硬度の水によって希釈されてもよく、この場合、硬水を含有する以外は本発明の第一の態様となる組成物が得られる。この場合には、濃縮物が金属イオン封鎖剤及び／またはスケール抑制剤を含有するのが好ましい。
【００６３】
従って本発明は、水によって希釈されたときに上記に定義したような水溶性香料を含むスチームアイロンの蒸気チャンバで使用される濃縮アイロン掛け補助組成物を提供する。
【００６４】
この濃縮物に水が存在しないとき、保存剤の必要性が軽減するかまたはなくなる。従って、本発明のこの目的に好ましい実施態様では、濃縮物が水または保存剤を全く含有していない。
【００６５】
もっと薄い濃縮物が必要である場合、水溶性香料が濃縮物中で可溶化状態に維持されることを確保するために補助溶媒が必要であろう。また上記に定義の追加成分のいずれかを濃縮物に含ませるときにも補助溶媒が必要であろう。
【００６６】
従って、濃縮物中の水の量が最終製品の半量であるときは、２０−３０重量％のレベルの追加溶媒が必要であろう。
【００６７】
本発明の１つの態様によれば、０．００１−５重量％の水溶性香料及びフレンチ硬度２０以下の水を含むアイロン掛け補助組成物を形成するために濃縮物を希釈する段階を含む濃縮アイロン掛け補助組成物の使用方法が提供される。
【００６８】
実施例以外または異なる指定がないときは、本文中に使用された成分の量または反応条件を表す全ての数値が“約”という用語で形容されることを理解されたい。また、全てのパーセンテージは異なる指定がない限り全組成物の重量／重量パーセンテージである。明細書または特許請求の範囲に“含む”という用語が使用されている場合、この用語が特定的に記述されていない用語、段階または特徴を排除しないことを理解されたい。
【００６９】
本発明の幾つかの好ましい実施態様を示す以下の非限定実施例によって本発明をより十分に説明する。
【００７０】
実施例１
脱塩水に必要量の香料を添加し、室温（２０℃）、５００ｒｐｍで１５分間撹拌することによって以下の２つの組成物を調製した。
【００７１】
【表１】
0004727122.tif 000002
【００７２】
Ｓｏｌ  ＆  Ｆｒｅｓｈ  ２はＧｉｖａｕｄａｎ−Ｒｏｕｒｅ社（ジュネーブ、スイス）の水溶性香料である。この香料は約５１重量％の溶媒（ジプロピレングリコール）を含む。芳香成分の９６．６重量％は２未満のＣｌｏｇＰ値を有しており、芳香成分の３．４重量％は３よりも大きいＣｌｏｇＰ値を有している。
【００７３】
ＬＦ  １８０６はＱｕｅｓｔ社（アシュフォード、イギリス）の水溶性香料である。この香料は８７重量％の溶媒（ジプロピレングリコール）を含む。芳香成分の５４．８重量％は２未満のＣｌｏｇＰ値を有しており、２４．７重量％は２−３のＣｌｏｇＰ値を有しており、２０．５重量％は３よりも大きいＣｌｏｇＰ値を有している。
【００７４】
組成物Ａ及びＢを、多様なスチームアイロンで標準使用条件下で合計約５５０回のアイロン掛け作業によって試験した。作業はほぼ１５−４５分間継続した。作業の８０％以上でアイロンから沈積物は全く観察されなかった。また残りの作業の殆どで極く少量の沈積物が観察された。これらの沈積物が布を汚染する傾向はなかった。観察された沈積物はアイロン洗浄用組成物にある程度関係していると考えられる。
【００７５】
使用者は、総合的には組成物が好ましい匂いを有しており、アイロン掛け中に組成物が快い匂いを与え、アイロン掛け後の衣類がさわやかで清潔な匂いになったと報告した。
【００７６】
実施例２
香料と共にベンジルアルコールを添加して以下の組成物を実施例１と同様にして調製し、種々のアイロンの蒸気チャンバで試験した。
【００７７】
【表２】
0004727122.tif 000003
【００７８】
Ｓｏｌ  ＆  Ｆｒｅｓｈ  ４はＧｉｖａｕｄａｎ−Ｒｏｕｒｅ社（ジュネーブ、スイス）の水溶性香料である。この香料は約３０重量％の溶媒（ジプロピレングリコール）を含む。芳香成分の５６重量％は２未満のＣｌｏｇＰ値を有しており、３６重量％は２−３のＣｌｏｇＰ値を有しており、８重量％は３よりも大きいＣｌｏｇＰ値を有している。
【００７９】
ＬＦ  １８０６ＡはＱｕｅｓｔ社（アシュフォード、イギリス）の水溶性香料である。この香料は８５重量％の溶媒（ジプロピレングリコール）を含む。芳香成分の５６．９重量％は２未満のＣｌｏｇＰ値を有しており、２４．６重量％は２−３のＣｌｏｇＰ値を有しており、１８．５重量％は３よりも大きいＣｌｏｇＰ値を有している。
【００８０】
実施例３
諸成分と脱塩水とを２０℃、４００ｒｐｍで３０分間混合することによってスチームアイロンの蒸気チャンバで使用する以下の組成物を調製した。
【００８１】
【表３】
0004727122.tif 000004
【００８２】
実施例４
実施例２に示した組成物を、シルバーソン（Ｓｉｌｖｅｒｓｏｎ）動的ミル（４５／６００ＵＬＳ）を使用し１８０，０００ｓ−１の剪断速度で香料と脱塩水とを８０℃で１分間混合すること以外は実施例２と同様にして調製した。
【図面の簡単な説明】
【図１】  本発明の組成物の分配を補助するために使用され得る注ぎ口の側面図である。
【図２】  図１の注ぎ口の平面図である。
【図３】  図１の注ぎ口の斜視図である。